(57)【要約】【課題】運転席からの後方視野の妨げになること無く、車輌天井に設けた表示部を大型化することができる車載表示装置を提供する。【解決手段】車載表示装置は、画像情報を取得する取得部と、車輌天井Ａにおける、車輌のルームミラー４と、リアウィンドウＷとの間に配されており、光を透過すると共に前記取得部が取得した画像情報に基づいて、画像を表示する透光性のヘッドアップディスプレイ２とを備える。【選択図】図１
2015160543.tif 000002
【特許請求の範囲】
【請求項１】
画像情報を取得する取得部と、
車輌天井における、車輌のルームミラーと、リアウィンドウとの間に配されており、光を透過すると共に前記取得部が取得した画像情報に基づいて、画像を表示する透光性の表示部と
を備える車載表示装置。
【請求項２】
前記表示部は、
前記車輌天井に設けられており、前記取得部が取得した画像情報に係る画像の光を前方へ出射するプロジェクタと、該プロジェクタより前方に配されており、前記プロジェクタから出力された光を後方へ反射させる表示板とを備えるヘッドアップディスプレイである
請求項１に記載の車載表示装置。
【発明の詳細な説明】
【技術分野】
【０００１】
本発明は、車輌天井に設けられる車載表示装置に関する。
【背景技術】
【０００２】
近年、車輌天井の中央部に設けられた車載表示装置が実用化されている。車載表示装置は光ディスクに記録された動画等を再生し、表示することができる。車輌の乗員は後部座席から車載表示装置に表示された動画を楽しむことができる。
【０００３】
一方、特許文献１及び２には、車輌のインスツルメントパネル内に収納された装置本体から運転情報をフロントウィンドウへ投射することにより、運転者に運転情報を表示する車輌用ヘッドアップディスプレイ（Head-Up Display; HUD）が開示されている。
【先行技術文献】
【特許文献】
【０００４】
【特許文献１】特開２００３−１１８４２６号公報
【特許文献２】特開平１０−２７４５４３号公報
【発明の概要】
【発明が解決しようとする課題】
【０００５】
しかしながら、車輌天井の中央部に大型の車載表示装置を設けた場合、運転席からの後方視野の妨げになるため、車載表示装置の大型化に限界があるという問題があった。
本発明は斯かる事情に鑑みてなされたものであり、その目的は、運転席からの後方視野の妨げになること無く、車輌天井に設けた表示部を大型化することができる車載表示装置を提供することにある。
【課題を解決するための手段】
【０００６】
本発明に係る車載表示装置は、画像情報を取得する取得部と、車輌天井における、車輌のルームミラーと、リアウィンドウとの間に配されており、光を透過すると共に前記取得部が取得した画像情報に基づいて、画像を表示する透光性の表示部とを備える。
【０００７】
本発明にあっては、車輌天井に設けられた表示部は、車輌のルームミラーと、リアウィンドウとの間に位置するが、表示部は透光性であるため、運転席からの後方視野の妨げになることは無い。
【０００８】
本発明に係る車載表示装置は、前記表示部は、前記車輌天井に設けられており、前記取得部が取得した画像情報に係る画像の光を前方へ出射するプロジェクタと、該プロジェクタより前方に配されており、前記プロジェクタから出力された光を後方へ反射させる表示板とを備えるヘッドアップディスプレイである。
【０００９】
本発明にあっては、表示部は車輌天井に設けられたプロジェクタ及び表示板を有するヘッドアップディスプレイである。表示板は透光性であるため、該表示板が運転席からの後方視野の妨げになることは無い。
【発明の効果】
【００１０】
本発明にあっては、運転席からの後方視野の妨げになること無く、車輌天井に設けた表示部を大型化することができる。
【図面の簡単な説明】
【００１１】
【図１】車輌に設けられた車載表示装置の側面図である。
【図２】車輌に設けられた車載表示装置の平面図である。
【図３】車載表示装置の一構成例を示すブロック図である。
【発明を実施するための形態】
【００１２】
以下、本発明をその実施の形態を示す図面に基づいて詳述する。
図１は車輌に設けられた車載表示装置の側面図、図２は車輌に設けられた車載表示装置の平面図である。本実施形態に係る車載表示装置は、車輌Ｃに搭載された表示制御装置１及びヘッドアップディスプレイ２を備える。
表示制御装置１は、車輌Ｃの適宜箇所に設けられており、外部の無線通信機器３から無線で送信された動画情報を受信し、受信した動画情報に含まれる映像情報をヘッドアップディスプレイ２へ出力する。また、表示制御装置１は、記録媒体に記録された動画情報を再生する機能を有し、再生した動画情報に含まれる映像情報をヘッドアップディスプレイ２へ出力する。
ヘッドアップディスプレイ２は、車輌天井Ａの横方向及び前後方向中央部に設けられており、表示制御装置１から出力された映像情報を入力し、入力した映像情報に基づいて映像を表示する。ヘッドアップディスプレイ２は、図１及び図２に示すように車輌Ｃのルームミラー４と、リアウィンドウＷとの間に配されており、運転席からの後方視野に干渉する寸法を有している。
【００１３】
図３は車載表示装置の一構成例を示すブロック図である。
表示制御装置１は、該表示制御装置１の各構成部の動作を制御する制御部１１を備える。制御部１１は、例えば一又は複数のＣＰＵ（Central Processing Unit）、マルチコアＣＰＵ等を有する。制御部１１には、バスを介して一時記憶部１２、記憶部１３、再生装置１４、映像出力部１５、音声出力部１６及び動画取得部１７が接続されている。制御部１１は、記憶部１３に記憶されている後述の制御プログラムを一時記憶部１２に読み出し、各構成部の動作を制御する。
【００１４】
一時記憶部１２は、ＳＲＡＭ（Static RAM）、ＤＲＡＭ（Dynamic RAM）等の揮発性メモリである。一時記憶部１２は、制御部１１の演算処理を実行する際に記憶部１３から読み出された制御プログラム、演算処理によって生ずる各種データを一時記憶する。揮発性メモリは一時記憶部１２の一例であり、不揮発性メモリで一時記憶部１２を構成しても良い。
【００１５】
記憶部１３は、ＥＥＰＲＯＭ（Electrically Erasable Programmable ROM）、フラッシュメモリ等の不揮発性メモリである。記憶部１３は、制御部１１が表示制御装置１の各構成部の動作を制御することにより、映像及び音声の再生に係る処理を実行するための制御プログラムを記憶している。
【００１６】
再生装置１４は、例えばＤＶＤ（Digital Versatile Disc）、ＢＤ（Blu-ray Disc）等の光ディスクに記録された動画情報を再生するＤＶＤ再生機、ＢＤ再生機である。光ディスクは記録媒体の一例である。記録媒体は、ＥＥＰＲＯＭ、フラッシュメモリ等の不揮発性半導体メモリ、表示制御装置１に内蔵されたハードディスク等の磁気ディスクであっても良い。再生装置１４は、不揮発性半導体メモリ、ハードディスク等の記録媒体に記録された記録された動画情報を読み出して再生する。動画情報は例えばＭＰＥＧ２(Moving Picture Experts Group 2)、ＭＰＥＧ４等の圧縮伸張方式に従って圧縮されているため、再生装置１４は、記録媒体から読み出した動画情報を前記圧縮伸張方式に従って伸張し、復号することによって動画情報を再生する。動画情報には映像情報及び音声情報が含まれている。
【００１７】
動画取得部１７は、例えば、外部の無線通信機器３から送信された動画情報を受信する通信装置である。無線通信機器３は、乗員が所有するスマートフォン、携帯電話機、タブレット端末、ノートパソコン等であり、Ｂｌｕｅｔｏｏｔｈ（登録商標）、Ｗｉ−Ｆｉ（登録商標）等の無線通信規格に従って動画情報を送信する機能を有する。動画取得部１７は、前記無線通信規格に従って送信された動画情報を受信する。
また動画取得部１７は、外部機器から有線にて動画情報を取得するように構成しても良い。動画取得部１７は、外部機器に接続されるケーブルの端子が接続されるインタフェースであり、外部機器から送信される動画情報を、該インタフェースを介して受信する。
更に動画取得部１７は、車載ＬＡＮに接続された通信部であっても良い。動画取得部１７は、車載ＬＡＮに接続されたカーナビゲーション、その他のＥＣＵから動画情報又は映像情報を取得する。
【００１８】
映像出力部１５は、再生装置１４が再生した動画情報又は動画取得部１７が取得した動画情報に含まれる映像情報を出力するインタフェースである。映像出力部１５は、例えばＲＣＡ端子である。
【００１９】
音声出力部１６は、再生装置１４が再生した動画情報又は動画取得部１７が取得した動画情報に含まれる音声情報を出力するインタフェースである。音声出力部１６は、例えばＲＣＡ端子であり、音声出力部１６には音声ケーブルを介して音声出力装置５に接続されている。音声出力装置５は車輌Ｃに設けられたスピーカであり、音声出力部１６から出力された音声情報に基づいて音声を出力する。
【００２０】
ヘッドアップディスプレイ２は、車輌天井Ａの横方向及び前後方向中央部に設けられた映像入力部２１及びプロジェクタ２２と、該プロジェクタ２２より前方に配されたコンバイナー２３とを備える。
映像入力部２１は、例えばＲＣＡ端子であり、映像ケーブルを介して表示制御装置１の映像出力部１５に接続されている。
プロジェクタ２２は、光源、透過型スクリーン及びフィールドレンズを有する。光源は例えば、レーザであり、映像入力部２１に入力した映像情報に基づいて変調された光を出力し、透過型スクリーンに該映像情報に係る映像を描画する。透過型スクリーンに描画された映像は実像である。透過型スクリーンに描画された映像の光はフィールドレンズによってコンバイナー２３へ導かれる。
【００２１】
コンバイナー２３は、プロジェクタ２２から出射された映像の光を後方へ反射させる透明な凹面反射鏡である。コンバイナー２３によって反射された光が、後部座席の乗員の瞳に導かれると、乗員からはコンバイナー２３の後側、即ち車室内前方に前記映像が拡大表示されているように見える。本実施形態ではプロジェクタ２２から出射される光を後方へ反射させる表示板の一例として、コンバイナー２３を説明したが、ヘッドアップディスプレイ２として映像を表示することが可能であれば、コンバイナー２３以外の種々の表示板をヘッドアップディスプレイ２に適用しても良い。  
【００２２】
このように構成された車載表示装置にあっては、運転席からの後方視野の妨げになること無く、車輌天井Ａの横方向中央部に設けたコンバイナー２３を大型化することができる。
【００２３】
なお、本実施形態では透光性の表示部として、ヘッドアップディスプレイ２のコンバイナーを説明したが、透光性を有する表示部であれば特にこれに限定されるものでは無い。例えば光を透過すると共に、自発光によって映像を表示する有機ＥＬ表示パネルを表示部として用いても良い。
また、本実施形態では動画表示装置が動画を表示する場合を説明したが、言うまでもなく、静止画を表示するように構成しても良い。
【００２４】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００２５】
１  表示制御装置
２  ヘッドアップディスプレイ
３  無線通信機器
４  ルームミラー
５  音声出力装置
１１  制御部
１２  一時記憶部
１３  記憶部
１４  再生装置
１５  映像出力部
１６  音声出力部
１７  動画取得部
２１  映像入力部
２２  プロジェクタ
２３  コンバイナー
Ａ  車輌天井
Ｃ  車輌
Ｗ  リアウィンドウ
【図１】
2015160543.tif 000003
【図２】
2015160543.tif 000004
【図３】
2015160543.tif 000005